(57)【特許請求の範囲】
【請求項１】
エアーバックに息を吹込むためのストロータイプの逆止弁付息吹込口において、ストロー挿入弁２８に厚さ０．１ｍｍの２枚のポリウレタンの樹脂フィルム２１と樹脂フィルム２４を使用し、樹脂フィルム２１と樹脂フィルム２４は横幅が同一で、樹脂フィルム２１の縦を樹脂フィルム２４より数ミリ長く断裁し、２枚の樹脂フィルム２１と樹脂フィルム２４の両側切断面と下部切断面を揃え、両側の溶着部２９と溶着部３１を約２ｍｍ溶着してストロー挿入弁２８を成形すると共に、ストロー挿入弁２８を首前部エアーバック１０の溶着部３２の横の２枚の樹脂フィルムの間に挟み込み、給排気ストロー４０のストロー４２の太さ（外周）の概ね半分より少し広めの幅の非溶着テープを、ストロー挿入弁２８の溶着部２９と溶着部３１の間の中心部に挟み込み、ストロー挿入口３５を溶着しないようにストロー挿入弁２８を溶着部３３に溶着すると共に、給排気ストロー４０は内径が４ｍｍのストロー４２と逆抜防止ストッパー４３と給排気口４６で形成し、給排気口４６はストロー４２に対して概ね９０度曲げて成形され、息を給排気する先端部にはリング状の口銜部４１が成形され、ストロー４２との接合部はストロー４２の直径より太く成形され、さらにストロー４２には給排気ストロー４０がストロー挿入弁２８から抜け落ちるのを防止するため、下部がストロー４２の円周と同一サイズで、上部の逆抜防止部４７は傘を逆さにした形状の柔らかい樹脂で形成された逆抜防止ストッパー４３が成形され、ストロー４２と逆抜防止ストッパー４３をストロー挿入口３５に挿入する際は、逆抜防止ストッパー４３の上部の逆抜防止部４７がストロー挿入口３５を通過する際に窄み、ストロー挿入弁２８の内部に挿入され、挿入した後は、逆抜防止ストッパー４３の逆抜防止部４７が傘のように開き、給排気ストロー４０をストロー挿入弁２８から引抜こうとすると、逆抜防止部４７が溶着部３３に当接することにより給排気ストロー４０がストロー挿入弁２８から抜け落ちるのを防止すると共に、給排気ストロー４０をストロー挿入弁２８に深く挿入する事により、給排気ストロー４０の下部４５がストロー挿入口３５に当接し、ストロー下端部４４がフィルム下端３０よりエアーバック内部に少し突き出した状態になるように構成した事により、膨らましたエアーバックの内部の空気を口銜部４１で吸う事が出来るようにした事を特徴とするストロータイプの逆止弁付給排気口。
【発明の詳細な説明】
【技術分野】
【０００１】  本発明は、エアーバックに息を吹込むためのストロータイプの逆止弁付息吹込口のストローを、口で自在に操作し、抜け落ちたり逆止弁付息吹込口の中に入り込むのを防止するストロータイプの逆止弁付給排気口に関するものである。
【背景技術】
【０００２】  従来のストロータイプの逆止弁付息吹込口は、人間が指でストローを摘んでエアーバックに息を吹込む構造となっていたため、津波等で水難救命具のエアーバックに息を吹込む際に、指はエアーバックに息を吹込む作業に専念せざるを得ず、そのためストローを使用した息吹込口は操作性で問題があった。【０００３】  さらに、従来のストロータイプの逆止弁付息吹込口は、エアーバックの中の空気を、一時的に人間が呼吸するため利用する事を想定しておらず、そのため津波等で避難する際に、身体が水中にのみ込まれて息が出来なくなる様な危機的状態に陥った場合に、水難救命具に取付けられたエアーバックの中の空気を、一時的に呼吸するため利用する事が出来なかった。【０００４】  このような事から、万一の津波や水害等の非常時に備えて、指を使わず、早く確実にエアーバックに息を吹込み呼吸する事も出来る息吹込口が必要であるが、現実には、実用化されていないのが現状である。
【先行技術文献】
【特許文献】
【０００５】  下記の２件の特許文献においても、空気注入口に挿入するストローは、いずれも、単にストローをフィルム逆止弁に挿入して使用する事を目的としており、指を使わず、口のみでストローを銜えてエアーバックに息を吹込むと、口からストローが外れたり、ストローの先端が口内に当るため、指を使わずストローからエアーバックに息を吹込んで使用するには多くの問題があった。
【特許文献１】特開２００６−７１２５６
【特許文献２】特開２００９−２８１５６５
【発明の概要】
【発明が解決しようとする課題】
【０００６】  従来の、２枚の樹脂フィルムを溶着してエアーバックに息を吹込むためのストロータイプの逆止弁付息吹込口は、空気を入れるためにストローを用意しなければならず、そのため、ストローの保管や取り扱い等が煩わしく、その改善が要望されていた。【０００７】  さらに、ストローに抜け落ち防止が付いていないため、逆止弁付息吹込口の内部にストローが入ったり、ストローが抜け落ちてしまうと言った問題があった。【０００８】  さらに、エアーバックに息を吹込んだり、エアーバックの空気を抜く際に、指でストローを摘んで操作しなければならず、これまで指を使わずエアーバックに息を吹込んだり、エアーバックの中の空気を吸ったり出来るストロータイプの逆止弁付息吹込口は販売されて無かった。
【課題を解決するための手段】
【０００９】  かかる課題を解決するため、請求項１に記載の発明は、エアーバックに息を吹込むためのストロータイプの逆止弁付息吹込口において、ストロー挿入弁２８に厚さ０．１ｍｍの２枚のポリウレタンの樹脂フィルム２１と樹脂フィルム２４を使用し、樹脂フィルム２１と樹脂フィルム２４は横幅が同一で、樹脂フィルム２１の縦を樹脂フィルム２４より数ミリ長く断裁し、２枚の樹脂フィルム２１と樹脂フィルム２４の両側切断面と下部切断面を揃え、両側の溶着部２９と溶着部３１を約２ｍｍ溶着してストロー挿入弁２８を成形すると共に、ストロー挿入弁２８を首前部エアーバック１０の溶着部３２の横の２枚の樹脂フィルムの間に挟み込み、給排気ストロー４０のストロー４２の太さ（外周）の概ね半分より少し広めの幅の非溶着テープを、ストロー挿入弁２８の溶着部２９と溶着部３１の間の中心部に挟み込み、ストロー挿入口３５を溶着しないようにストロー挿入弁２８を溶着部３３に溶着すると共に、給排気ストロー４０は内径が４ｍｍのストロー４２と逆抜防止ストッパー４３と給排気口４６で形成し、給排気口４６はストロー４２に対して概ね９０度曲げて成形され、息を給排気する先端部にはリング状の口銜部４１が成形され、ストロー４２との接合部はストロー４２の直径より太く成形され、さらにストロー４２には給排気ストロー４０がストロー挿入弁２８から抜け落ちるのを防止するため、下部がストロー４２の円周と同一サイズで、上部の逆抜防止部４７は傘を逆さにした形状の柔らかい樹脂で形成された逆抜防止ストッパー４３が成形され、ストロー４２と逆抜防止ストッパー４３をストロー挿入口３５に挿入する際は、逆抜防止ストッパー４３の上部の逆抜防止部４７がストロー挿入口３５を通過する際に窄み、ストロー挿入弁２８の内部に挿入され、挿入した後は、逆抜防止ストッパー４３の逆抜防止部４７が傘のように開き、給排気ストロー４０をストロー挿入弁２８から引抜こうとすると、逆抜防止部４７が溶着部３３に当接することにより給排気ストロー４０がストロー挿入弁２８から抜け落ちるのを防止すると共に、給排気ストロー４０をストロー挿入弁２８に深く挿入する事により、給排気ストロー４０の下部４５がストロー挿入口３５に当接し、ストロー下端部４４がフィルム下端３０よりエアーバック内部に少し突き出した状態になるように構成した事により、膨らましたエアーバックの内部の空気を口銜部４１で吸う事が出来るようにした事を特徴とする。
【発明の効果】
【００１２】  請求項１に記載の発明によれば、エアーバックに息を吹込むためのストロータイプの逆止弁付息吹込口において、ストロー挿入弁２８に厚さ０．１ｍｍの２枚のポリウレタンの樹脂フィルム２１と樹脂フィルム２４を使用し、樹脂フィルム２１と樹脂フィルム２４は横幅が同一で、樹脂フィルム２１の縦を樹脂フィルム２４より数ミリ長く断裁し、２枚の樹脂フィルム２１と樹脂フィルム２４の両側切断面と下部切断面を揃え、両側の溶着部２９と溶着部３１を約２ｍｍ溶着してストロー挿入弁２８を成形すると共に、ストロー挿入弁２８を首前部エアーバック１０の溶着部３２の横の２枚の樹脂フィルムの間に挟み込み、給排気ストロー４０のストロー４２の太さ（外周）の概ね半分より少し広めの幅の非溶着テープを、ストロー挿入弁２８の溶着部２９と溶着部３１の間の中心部に挟み込み、ストロー挿入口３５を溶着しないようにストロー挿入弁２８を溶着部３３に溶着すると共に、給排気ストロー４０は内径が４ｍｍのストロー４２と逆抜防止ストッパー４３と給排気口４６で形成し、給排気口４６はストロー４２に対して概ね９０度曲げて成形され、息を給排気する先端部にはリング状の口銜部４１が成形され、ストロー４２との接合部はストロー４２の直径より太く成形され、さらにストロー４２には給排気ストロー４０がストロー挿入弁２８から抜け落ちるのを防止するため、下部がストロー４２の円周と同一サイズで、上部の逆抜防止部４７は傘を逆さにした形状の柔らかい樹脂で形成された逆抜防止ストッパー４３が成形され、ストロー４２と逆抜防止ストッパー４３をストロー挿入口３５に挿入する際は、逆抜防止ストッパー４３の上部の逆抜防止部４７がストロー挿入口３５を通過する際に窄み、ストロー挿入弁２８の内部に挿入され、挿入した後は、逆抜防止ストッパー４３の逆抜防止部４７が傘のように開き、給排気ストロー４０をストロー挿入弁２８から引抜こうとすると、逆抜防止部４７が溶着部３３に当接することにより給排気ストロー４０がストロー挿入弁２８から抜け落ちるのを防止すると共に、給排気ストロー４０をストロー挿入弁２８に深く挿入する事により、給排気ストロー４０の下部４５がストロー挿入口３５に当接し、ストロー下端部４４がフィルム下端３０よりエアーバック内部に少し突き出した状態になるように構成した事により、膨らましたエアーバックの内部の空気を口銜部４１で吸う事が出来るようにした事により、ストローがストロー挿入弁から抜け落ちるのを防止し、常に、ストローをエアーバックに装着しておく事が可能となり、緊急時にストローを探したり、ストローを逆止弁に装着するための操作が不要となった。
【実施例】
【００１５】  以下、この発明の実施の形態について説明する。
［発明の実施の形態］【００１６】  図１及至図４は、この発明の実施の形態を示す。【００１７】  図１ａは、樹脂フィルムを楕円状に切断し、図１ｃで説明する水難救命具１４を構成する上部に溶着するための頭部カバー１を示す。図１ｂは、人間が頭部に被り、図１ｃで説明する水難救命具の、顔面と頭部と首回りを保護するための頭部側面エアーバック３の展開図である。図１ｂの頭部側面エアーバック３は、顔面部分（顔面カバー４）が透明の樹脂で形成され、その他の部分は樹脂フィルムを２枚重ねて周囲の溶着部１３を溶着する事によりエアーバックを構成し、顔面部分（顔面カバー４）の下の首前部エアーバック６と首前部エアーバック１０の先端上部には、人間がエアーバックに息を吹込むための逆止弁付給排気口５と逆止弁付給排気口１１が溶着により装着され、人間が逆止弁付給排気口５と逆止弁付給排気口１１から息を吹込む事により頭部側面エアーバック３は膨らむ。【００１８】  なお、図１ｂで説明した頭部側面エアーバック３には縦長に仕切り溶着部７が設けられ２枚の樹脂フィルムの複数個所を縦に溶着する事により、水難救命具を製作する際、頭部側面エアーバック３が縦方向に対して円筒状に膨らみ、頭部回りと耳部を保護する事が可能となる。さらに、頭部側面エアーバック３の下部には、肩の形状に合わせて、半円状の肩カバー部８を構成され、肩カバー部８の両側には肩紐用のハトメ７が取付けられる。【００１９】  このように構成した、図１ｂの頭部側面エアーバック３の両端を円筒状に丸め、上部１２と、図１ａで説明した頭部カバー１の円周部２を溶着し、顔面カバー４の溶着部１８を溶着部１９に溶着させる事により、図１ｃの水難救命具１４が完成する。図１ｃは、この発明の逆止弁付給排気口を取付けた水難救命具１４を人間１７が頭部１５に被った状態を示す。逆止弁付給排気口５と逆止弁付給排気口１１が顔面の下部に配置され、口で逆止弁付給排気口５と逆止弁付給排気口１１を銜えて操作する事により、首前部エアーバック６、首前部エアーバック１０に息を給排気する事が出来るようになる。【００２０】  図２は、ストロー挿入弁２８を示す。図２ａはストロー挿入弁２８を構成する２枚の薄い樹脂フィルムを示し、樹脂フィルムの厚さは０．１ｍｍで素材としてはポリウレタンを使用する。樹脂フィルム２１と樹脂フィルム２４は横幅が同一で、縦は樹脂フィルム２１が樹脂フィルム２５より数ミリ長く断裁され、図２ｂで示すように、２枚の樹脂フィルム２１と樹脂フィルム２４の両側切断面と下部切断面を揃え、斜線で示すように両側の溶着部２９と溶着部３１を約２ミリ溶着する。【００２１】  なお、樹脂フィルム２１と樹脂フィルム２４の上部の長さが異なるのは、重なり合った樹脂フィルム２１と樹脂フィルム２４にストローを容易に挿入するためであり、図２ｂで示すように、２枚の樹脂フィルム２１と樹脂フィルム２４の重なり合った部分の上端を数ミリ溶着しないのも、同様に、ストローをストロー挿入弁２８に容易に挿入するためである。【００２２】  図３は、図１ｂで説明した首前部エアーバック１０に、図２ｂで説明したストロー挿入弁２８を溶着する方法を示す。【００２３】  図３ａは、２枚の頭部側面エアーバック３を溶着��る前の状態を示す。点線で示すように首前部エアーバック１０の２枚の樹脂フィルムが重なり合った溶着部３２、溶着部３３、溶着部３４を約２〜３ｍｍ幅溶着する事によりエアーバックが成形される。【００２４】  図３ｂは、図３ａで説明した首前部エアーバック１０に、図２ｂで説明したストロー挿入弁２８を溶着した状態を示す。最初に、溶着部３２、溶着部３４を溶着すると共に、溶着部３３を溶着する際、ストロー挿入弁２８を溶着部３２の横の２枚の樹脂フィルムの間に挟み込み、逆止弁付給排気口５、逆止弁付給排気口１１で使用するストローの太さ（外周）の概ね半分の幅より少し広めの非溶着テープ（図示せず）を、ストロー挿入弁２８の溶着部２９と溶着部３１の間の中心部に挟み込み、ストロー挿入口３５を溶着しないように溶着部３３を溶着する事により、ストロー挿入弁２８が首前部エアーバック１０に溶着される。【００２５】  図４は、給排気ストロー４０の構造と、図３ｂで説明したストロー挿入弁２８に給排気ストロー４０を挿入した状態を示す。給排気ストロー４０は樹脂で成型され内径が約４ｍｍのストロー４２と逆抜防止ストッパー４３と給排気口４６で構成され、給排気口４６はストロー４２に対して概ね９０度曲げて形成され、息を給排気する先端部にはリング状の口銜部４１が形成され、ストロー４２との接合部はストロー４２の直径より太く形成される。さらにストロー４２には、下部がストロー４２の円周と同一サイズで上部の逆抜防止部４７は傘を逆さにした様な形状の、柔らかい樹脂で形成された逆抜防止ストッパー４３が形成される。【００２６】  つづいて、図１ｂで説明した、逆止弁付給排気口１１の構成と操作方法について説明する。図４ａは、ストロー挿入口３５に給排気ストロー４０を挿入する前の状態を示す。図４ｂは給排気ストロー４０のストロー４２をストロー挿入口３５に挿入した状態を示す。ストロー４２と逆抜防止ストッパー４３をストロー挿入口３５に挿入する際、逆抜防止ストッパー４３の上部の逆抜防止部４７がストロー挿入口３５を通過する際に窄み、逆抜防止ストッパー４３がストロー挿入弁２８の内部に挿入されると共に、挿入した後には逆抜防止ストッパー４３の逆抜防止部４７が傘のように開き、給排気ストロー４０をストロー挿入弁２８から引抜こうとすると、逆抜防止部４７が溶着部３３に当接し、給排気ストロー４０がストロー挿入弁２８から抜け落ちるのを防止する。つづいて人間が口銜部４１から息を吹込む事によりストロー挿入弁２８の２枚の樹脂フィルムの間が開口して首前部エアーバック１０が膨らむ。さらに首前部エアーバック１０が十分に膨らんだ状態で口銜部４１から口を外すと、２枚の樹脂フィルムで構成されたフィルム弁３６がエアーバックの内部の空気に押されて閉じ、首前部エアーバック１０の中の空気が給排気ストロー４０から抜けるのを防ぐ。【００２７】  さらに、図４ｃで示すように、給排気ストロー４０をストロー挿入弁２８に深く挿入した場合、給排気ストロー４０の下部４５がストロー挿入口３５に当接する事により給排気ストロー４０がストロー挿入弁２８の内部から首前部エアーバック１０の内部に落ち込まないように構成すると共に、給排気ストロー４０をストロー挿入弁２８に深く挿入した場合、ストロー下端部４４をフィルム下端３０よりエアーバック内部に少し突き出した状態になるように形成する事により、膨らましたエアーバックの内部の空気を口銜部４１で吸う事が可能となり、津波等で避難する際、身体が水中にのみ込まれて息が出来なくなる様な危機的状態に陥った状態でも、一時的にエアーバックの内部の空気を呼吸して避難する事が可能となる。【００２８】  このように、逆止弁付給排気口１１を構成する事により、指を使わなくても、口だけで給排気ストロー４０を回転させたり上下に動かす事が可能となり、津波等で避難する場合、指を使わずにエアーバックに空気を入れたり、さらに、危機的状態の中では、一時的にエアーバックの中の空気を呼吸しながら避難する事も可能となった。【００２９】  以上の実施の形態に基づいて、本発明に係るストロータイプの逆止弁付給排気口について詳細に説明してきたが、本発明は、以上の実施の形態に限定されるものではなく、発明の趣旨を逸脱しない範囲において各種の改変をなしても、本発明の技術的範囲に属するのはもちろんである。【００３０】  図３ｂでストロー挿入弁２８を首前部エアーバック１０の左端に溶着したが、ストロー挿入弁２８を溶着部３３に溶着する位置は、この位置に限定せず溶着部３２から離した位置でも、もちろん可能である。【００３１】  図４において、逆抜防止ストッパー４３の形状を、傘を逆さにした様な形状の柔らかい樹脂と説明したが、この形状に限定されるものではなく、例えば、逆ハの字で２枚又は３枚の羽のような形状も、もちろん可能である。【００３２】  図４の説明において、口銜部４１から人間が息を吹込むと説明したが、口銜部４１にガスボンベを接続して空気等のガスを入れる事も、もちろん可能である。
【図面の簡単な説明】
【００３３】
【図１】この発明の実施の形態に係る、ストロータイプの逆止弁付給排気口を取付けた水難救命具の展開図と、人間が水難救命具を頭部に装着した状態を示す。
【図２】同実施の形態に係る、ストロー挿入部を展開図で示す。
【図３】同実施の形態に係る、ストロー挿入部を頭部側面エアーバックに取付けた状態を示す。
【図４】同実施の形態に係る、逆止弁付息吹込口の構造と、逆止弁付息吹込口をストロー挿入弁に挿入した状態を示す。
【符号の説明】
【００３４】１                  頭部カバー
２                  円周部
３                  頭部側面エアーバック
４                  顔面カバー
５                  逆止弁付給排気口
６                  首前部エアーバック
７                  仕切り溶着部
８                  肩カバー部
９                  ハトメ
１０                首前部エアーバック
１１                逆止弁付給排気口
１２                上部
１３                溶着部
１４                水難救命具
１５                頭部
１６                肩紐
１７                人間
２１                樹脂フィルム
２２                上端
２３                上端
２４                樹脂フィルム
２５                下端
２６                下端
２７                フィルム上端
２８                ストロー挿入弁
２９                溶着部
３０                フィルム下端
３１                溶着部
３２                溶着部
３３                溶着部
３４                溶着部
３５                ストロー挿入口
３６                フィルム弁
４０                給排気ストロー
４１                口銜部
４２                ストロー
４３                逆抜防止ストッパー
４４                ストロー下端部
４５                下部
４６                給排気口
４７                逆抜防止部
【図１】
0005995168.tif 000002
【図２】
0005995168.tif 000003
【図３】
0005995168.tif 000004
【図４】
0005995168.tif 000005